(57)【要約】【課題】アクセスしているウェブページに関連するウェブページを、使用者の少ない入力操作によって検索する。【解決手段】関連ページ検索管理部は、ブラウザ部の動作開始を契機に、使用者による入力操作なしに動作を開始し（ステップＳ２１ａ）、ブラウザ部がウェブページのダウンロードを開始すると、機能未稼働アイコンを表示し（ステップＳ２１ｃ）、更に、ブラウザ部がウェブページのダウンロードを終了すると、機能稼働中アイコンを表示する（ステップＳ２１ｅ）。この機能稼働中アイコンに対する使用者による入力操作に従って（ステップＳ２１ｆの「タッチされた」）、関連ページ検索管理部は、ブラウザ部がダウンロードしたウェブページから抽出されたキーワードを用いたウェブページ検索に進む。【選択図】  図３
2011076565.tif 000002
【特許請求の範囲】
【請求項１】
ウェブページのダウンロードがブラウザ手段によって開始されると、アイコンを第１の表示形態で表示手段に表示し、
そのウェブページのダウンロードが前記ブラウザ手段によって終了され、かつ、そのダウンロードされたウェブページから検索キーワードがキーワード抽出手段によって抽出された場合、前記アイコンを第２の表示形態に変更して前記表示手段に表示し、
その第２の表示形態で表示されたアイコンに対する操作が入力手段からされた場合、前記抽出された検索キーワードによってウェブページ検索を行う関連ページ検索手段を有する
ことを特徴とする情報処理装置。
【請求項２】
ウェブページをダウンロードするブラウザ手段と、
前記ブラウザ手段によってダウンロードされたウェブページから検索キーワードを抽出するキーワード抽出手段と、
前記キーワード抽出手段によって検索キーワードが抽出された場合、アイコンを表示手段に表示し、そのアイコンに対する操作が入力手段からされると検索カテゴリを要素とするメニューを前記表示手段に表示し、その検索カテゴリの１つが前記入力手段の操作によって選択されると前記抽出された検索キーワードを指定してウェブページ検索を行う関連ページ検索手段とを有する
ことを特徴とする情報処理装置。
【請求項３】
前記関連ページ検索手段は、前記検索カテゴリと検索サイトとの対応を記憶し、前記選択された検索カテゴリに対応付けて記憶された検索サイトにウェブページ検索をさせる
ことを特徴とする請求項２に記載の情報処理装置。
【請求項４】
前記キーワード抽出手段は、複数の検索キーワードを抽出し、
前記関連ページ検索手段は、前記抽出された検索キーワード毎にウェブページ検索を行う
ことを特徴とする請求項１又は請求項２に記載の情報処理装置。
【請求項５】
嗜好を記憶する記憶手段を更に有し、
前記キーワード抽出手段は、前記記憶手段に記憶された嗜好を参照して検索キーワードを抽出し、
前記関連ページ検索手段は、前記記憶手段に記憶された嗜好を参照して前記メニューの要素となる検索カテゴリを決定し、前記記憶手段に記憶された嗜好を参照してウェブページ検索によって得られた検索結果の一部を選択して前記表示手段に表示させる
ことを特徴とする請求項１又は請求項２に記載の情報処理装置。
【請求項６】
制御手段と、
ウェブページをダウンロードして表示手段に表示するブラウザ手段と、
前記ブラウザ手段によってダウンロードされたウェブページから検索キーワードを抽出するキーワード抽出手段と、
前記キーワード抽出手段によって検索キーワードが抽出された場合、アイコン及び／又はメニューを前記表示手段に表示し、そのアイコン及び／又はメニューに対する操作が入力手段からされると前記抽出された検索キーワードによってウェブページ検索を行う関連ページ検索手段とを有し、
前記制御手段は、前記関連ページ検索手段に前記アイコン及び／又はメニューの表示を消去させると共に、前記ブラウザ手段に前記表示されたウェブページを消去させる
ことを特徴とする情報処理装置。
【請求項７】
前記制御手段は、前記関連ページ検索手段に前記アイコン及び／又はメニューの表示を消去させた後、前記ブラウザ手段に前記表示されたウェブページを消去させる
ことを特徴とする請求項６に記載の情報処理装置。
【請求項８】
前記制御手段は、前記消去させたウェブページの表示を前記ブラウザ手段に復旧表示させると共に、前記消去させたアイコン及び／又はメニューの表示を前記関連ページ検索手段に復旧表示させる
ことを特徴とする請求項６に記載の情報処理装置。
【請求項９】
前記制御手段は、前記消去させたウェブページの表示を前記ブラウザ手段に復旧表示させた後、前記消去させたアイコン及び／又はメニューの表示を前記関連ページ検索手段に復旧表示させる
ことを特徴とする請求項７に記載の情報処理装置。
【請求項１０】
ウェブページをダウンロードして表示手段に表示するブラウザ手段と、
前記ブラウザ手段によってダウンロードされたウェブページから検索キーワードを抽出するキーワード抽出手段と、
前記キーワード抽出手段によって検索キーワードが抽出された場合、アイコン及び／又はメニューを前記表示手段に表示し、そのアイコン及び／又はメニューに対する操作が入力手段からされると前記抽出された検索キーワードによってウェブページ検索を行う関連ページ検索手段とを有し、
前記ブラウザ手段が文字入力に用いられるキーボードを前記表示手段に表示させる場合、前記関連ページ検索手段は、前記アイコン及び／又はメニューの少なくとも前記ブラウザ手段によって表示されるキーボードと同じ位置に表示される部分を消去する
ことを特徴とする情報処理装置。
【発明の詳細な説明】
【技術分野】
【０００１】
本発明は情報処理装置に係り、特に、ウェブページを検索する処理に関する。
【背景技術】
【０００２】
インターネットには、１つ又は複数のウェブページからなる数多くのウェブサイトが接続されている。そこで、インターネットに接続された情報処理装置は、ウェブページへアクセスすることによって多種多様な情報を使用者へ提供することができる。ここで、ウェブページとは、ｈｔｍｌ言語（HyperText Markup Language）によって記述されたファイルに対応する。また、ウェブページは、ＵＲＬ（Uniform Resource Locator）によって識別される。そして、ウェブサイトは、ウェブページを記憶する装置である。
【０００３】
しかし、数多くのウェブページへのアクセスが可能であるため、装置の使用者は、有用なウェブページを見つけることが困難である。そこで、装置の使用者は、アクセスしているウェブページに含まれる注目する語彙を指定し、装置は、指定された語彙をキーワードとし、更に、その語彙周辺の文字列からキーワードを抽出し、それらのキーワードを指定してウェブページを検索し、検索されたウェブページへアクセスする処理が知られている（例えば、特許文献１参照。）。
【先行技術文献】
【特許文献】
【０００４】
【特許文献１】特開２００９−１２９０９８号公報（第２頁、図１、図３）
【発明の概要】
【発明が解決しようとする課題】
【０００５】
しかしながら、上述した特許文献１に開示されている方法では、装置にウェブページを検索させるために、装置の使用者は、注目する語彙を選択して指定する必要があった。そのために語彙の意味を熟慮することと、選択した語彙を誤り無く指定する操作とが避けられず、その結果、手軽に検索をさせることができない問題点があった。
【０００６】
本発明は上記問題点を解決するためになされたもので、アクセスしているウェブページに関連するウェブページを、使用者の少ない入力操作によって検索する情報処理装置を提供することを目的とする。
【課題を解決するための手段】
【０００７】
上記目的を達成するために、本発明の情報処理装置は、ウェブページのダウンロードがブラウザ手段によって開始されると、アイコンを第１の表示形態で表示手段に表示し、そのウェブページのダウンロードが前記ブラウザ手段によって終了され、かつ、そのダウンロードされたウェブページから検索キーワードがキーワード抽出手段によって抽出された場合、前記アイコンを第２の表示形態に変更して前記表示手段に表示し、その第２の表示形態で表示されたアイコンに対する操作が入力手段からされた場合、前記抽出された検索キーワードによってウェブページ検索を行う関連ページ検索手段を有することを特徴とする。
【発明の効果】
【０００８】
本発明によれば、アクセスしているウェブページに関連するウェブページを、使用者の少ない入力操作によって検索することができる。
【図面の簡単な説明】
【０００９】
【図１】本発明の実施形態に係る移動通信装置の構成を示すブロック図。
【図２】本発明の実施形態に係る関連ページ検索部の構成を示すブロック図。
【図３】本発明の実施形態に係る関連ページ検索管理部がアクセスしているウェブページに関連するウェブページの検索を制御する動作のフローチャート（その１）。
【図４】本発明の実施形態に係る関連ページ検索管理部がアクセスしているウェブページに関連するウェブページの検索を制御する動作のフローチャート（その２）。
【図５】本発明の実施形態に係るブラウザ部及び関連ページ検索管理部が表示部に表示させる画像の一例（その１）。
【図６】本発明の実施形態に係るブラウザ部及び関連ページ検索管理部が表示部に表示させる画像の一例（その２）。
【図７】本発明の実施形態に係るブラウザ部及び関連ページ検索管理部が表示部に表示させる画像の一例（その３）。
【発明を実施するための形態】
【００１０】
以下に、本発明の情報処理装置が適用された移動通信装置の実施の形態を、図面を参照して説明する。
【００１１】
図１は、本発明の実施形態に係る移動通信装置の構成を示すブロック図である。この移動通信装置は、装置全体の制御を行い、ＯＳの機能を含む制御部１１と、移動通信網通信部１２と、移動通信網の基地局（図示せず）との間で電波の送受信を行うアンテナ１２ａと、移動通信網送受信部１３と、通話部１４と、受話に用いられるスピーカ１４ａと、送話に用いられるマイクロフォン１４ｂと、表示部１５と、タッチパッド１６と、キー入力部１６ａと、ブラウザ部１７と、関連ページ検索部２０とからなる。なお、移動通信網は、インターネットと接続されている。また、タッチパッド１６は、表示部１５の表示画面を覆って設置され、表示部１５と共に、タッチパネルを構成する。
【００１２】
図２は、関連ページ検索部２０の詳細な構成を示すブロック図である。関連ページ検索部２０は、関連ページ検索部２０内の各部の管理を行う関連ページ検索管理部２１と、制御部１１及びブラウザ部１７と接続されるブラウザ連携部２２と、本文領域抽出部２３と、形態素解析用の辞書２４と、キーワード抽出部２５と、キーワード記憶部２６と、移動通信網送受信部１３と接続される検索クエリ生成部２７と、移動通信網送受信部１３と接続される検索結果解析部２８と、表示部１５及びタッチパッド１６と接続されるＵＩ入出力部２９とからなる。なお、図２で、信号の流れを矢印を付した実線で、また、記憶された情報の参照を矢印を付した破線で示したが、これらの線及び矢印の向きは、各部の動作の理解を容易にするためのものであり、全ての信号の流れや情報の参照を示すものではない。
【００１３】
上記のように構成された、本発明の実施形態に係る移動通信装置の各部の動作を、図１及び図２を参照して説明する。移動通信網通信部１２は、基地局から送信され、アンテナ１２ａが受信した高周波信号を移動通信網送受信部１３へ送信し、また、移動通信網送受信部１３から送信される高周波信号を、アンテナ１２ａを介して基地局に送信する。
【００１４】
移動通信網送受信部１３は、移動通信網通信部１２からの高周波信号を増幅、周波数変換及び復調し、ディジタル音声信号を通話部１４へ、制御信号を制御部１１へ、また、ウェブページに係る信号を制御部１１を介して、装置の各部へ送信する。
【００１５】
移動通信網送受信部１３は、更には、通話部１４から送信されるディジタル音声信号、及び制御部１１から送信される制御信号、また、装置の各部から送信されたウェブページのアクセスに係る信号を変調、周波数変換及び増幅し、高周波信号を得て、それを移動通信網通信部１２に送る。
【００１６】
通話部１４は、移動通信網送受信部１３から送信されるディジタル音声信号をアナログ音声信号に変換し、それを増幅してスピーカ１４ａに送る。また、マイクロフォン１４ｂから送信されるアナログ音声信号を増幅し、それをディジタル音声信号に変換して移動通信網送受信部１３に送信する。
【００１７】
表示部１５は、使用者に操作を促す表示や、使用者が操作した内容の表示や、装置の動作状態の表示等に用いられる有機ＥＬディスプレー、又は、バックライト付きのＬＣＤであって、ドライバプログラムを含み、制御部１１及び装置の各部に制御されることで、文字、数字、更に、アイコンを含む画像データを表示する。また、操作を識別する画像データを表示する。
【００１８】
タッチパッド１６は、接触を検出する素子とドライバプログラムとからなり、所定の時間に渡って指等が接触された場合、その接触を検出する。タッチパッド１６が接触されたか否かを判断する方式は、圧力の変化を感知する感圧式であっても、指等との間の静電容量の変化を検出する静電容量式であっても、その他の方法であっても良い。接触が検出された場合、タッチパッド１６は、接触された位置を示す座標を制御部１１へ送信する。なお、その座標の通知を装置の各部が要求した場合、制御部１１に代えて、その部へ接触された位置を示す座標送信する。
【００１９】
タッチパッド１６は、表示部１５と共にタッチパネルを構成する。そこで、画像データが表示された表示部１５の表示画面の位置に指等が接触されると、その位置の座標が送信され、その座標を受信した装置の各部は、上記画像データによって識別される動作をすることにより、装置の使用者に分かり易いユーザインターフェースを提供することができる。例えば、装置の処理部を識別する画像が表示された位置に接触されると、その処理部が起動される。また、ＱＷＥＲＴＹ方式のキーボードが表示され、各キーが表示された位置に接触されると、そのキーで識別される文字が入力される。このように、タッチパッド１６によって、装置の使用者による入力操作が行われる。
【００２０】
そこで、以後、タッチパッド１６への指等の接触を、タッチパッド１６からの入力操作と称する。また、その接触をタッチと称する。更に、上記画像データのように、その画像が表示された位置へのタッチによって入力操作が行われる画像をソフトキーと称する。また、上記の文字入力のために表示されるキーボードをソフトキーボードと称する。なお、表示された位置へのタッチによって入力操作が行われない画像はソフトキーではない。
【００２１】
キー入力部１６ａは、ユーザーによって押下される操作キーからなり、操作キーが押下されると、そのキーの識別子を制御部１１に通知する。操作キーは、電源のオン、オフキー、通話の際の音量の調整キー、通話の着呼、発信、終話キー等の限られた指示を入力するためのキーからなる。
【００２２】
ブラウザ部１７は、タッチパッド１６又はキー入力部１６ａからの入力操作によって動作を開始し、定められたＵＲＬによって識別されるウェブページへアクセスする。そして、そのウェブページに含まれる静止画像及び動画像、並びに、文字を表示部１５に表示させ、音声をスピーカ１４ａ又は音声発生用の第２のスピーカから発生させる。
【００２３】
また、ブラウザ部１７は、タッチパッド１６からの入力操作によってＵＲＬが指定された場合、そのＵＲＬによって識別されるウェブページへアクセスする。更には、リンクが表示された位置へのタッチに従い、そのリンクに対応付けられたＵＲＬによって識別されるウェブページへアクセスする。ブラウザ部１７は、タッチパッド１６又はキー入力部１６ａからの入力操作によって動作を終了する。
【００２４】
関連ページ検索管理部２１は、ブラウザ部１７が動作を開始したことを契機とするブラウザ連携部２２からの指示に基づいて動作を開始する。そして、ＵＩ入出力部２９を介して通知されたタッチパッド１６からの入力操作に基づいて、キーワード抽出部２５によって抽出されたキーワードを指定し、検索クエリ生成部２７を制御して検索サイトにウェブページを検索させる。
【００２５】
そして、関連ページ検索管理部２１は、検索結果解析部２８に、その検索結果を解析させる。そして、ＵＩ入出力部２９を介して表示部１５に解析された検索結果の一覧を表示させる。更に、ＵＩ入出力部２９を介して通知されたタッチパッド１６からの入力操作に基づいて選択された検索結果のＵＲＬをブラウザ連携部２２を介してブラウザ部１７に通知して、そのＵＲＬへアクセスさせる。
【００２６】
ブラウザ連携部２２は、ブラウザ部１７へのプラグインであり、ブラウザ部１７の動作開始によって動作を開始し、直ちに関連ページ検索管理部２１を起動する。そして、制御部１１からブラウザ部１７へのメッセージを、ブラウザ部１７に代わって受信する設定とする。そして、受信されたメッセージをブラウザ部１７に送信すると共に、関連ページ検索部２０内へ送信する。ここで、メッセージは、ブラウザ部１７への制御信号と、ブラウザ部１７がダウンロードしたウェブページデータ（ｈｔｍｌファイル）とを含む。また、ブラウザ連携部２２は、ブラウザ部１７内のイベントを受信して、そのイベントを関連ページ検索部２０内へ送信し、更に、ブラウザ部１７内のデータを取得して、関連ページ検索部２０内へ送信する。
【００２７】
ブラウザ連携部２２が、制御部１１からブラウザ部１７へのメッセージをブラウザ部１７に代わって受信する方法の一例を説明する。制御部１１がブラウザ部１７に属する関数を呼び、コールバック関数を介してそのメッセージの送信が行われている場合、ブラウザ連携部２２は、ブラウザ部１７に属する関数に代えて、ブラウザ連携部２２に属する関数を制御部１１が呼ぶように、制御部１１が参照する関数のアドレスを書き換える。そして、コールバック関数を介してそのメッセージを受信し、制御部１１に代わってブラウザ部１７にそのメッセージを送信する。この動作によって、ブラウザ部１７の動作に何ら影響を与えることなく、そのメッセージを関連ページ検索部２０内で用いることができる。
【００２８】
ブラウザ連携部２２によって受信される制御部１１からブラウザ部１７への制御信号とは、ＵＲＬによって指定されたウェブページへのアクセス指示等である。また、ブラウザ連携部２２によって受信されるブラウザ部１７内のイベントとは、ウェブページのダウンロード開始、そのダウンロード終了等である。ブラウザ連携部２２は、これらの制御信号とイベントとを関連ページ検索管理部２１に通知する。また、ブラウザ連携部２２は、ブラウザ部１７からダウンロード終了の通知を受信すると、ダウンロードされたウェブページデータをブラウザ部１７から取得する。そして、そのデータを本文領域抽出部２３へ送信し、本文領域抽出部２３と、キーワード抽出部２５とを順次動作させた後、それらの動作終了を関連ページ検索管理部２１に通知する。
【００２９】
また、ブラウザ連携部２２は、制御部１１に代り、ブラウザ部１７へメッセージを送信する。このメッセージは、ＵＲＬによって指定されたウェブページへのアクセスを指示する制御信号である。なお、このＵＲＬは、関連ページ検索管理部２１からブラウザ連携部２２へ通知される。
【００３０】
本文領域抽出部２３は、ブラウザ連携部２２の指示に従って動作を開始し、ブラウザ連携部２２から送信されたウェブページの中から本文を抽出する。即ち、ウェブページは、ｈｔｍｌ言語で記述されているので、その文字列から、タグ、広告、ウェブサイトを運営する者の名称、目次等の本文以外の文字列を取り除いて本文とする。本文と、本文以外とは、例えば、文字種別を含む、文字列の統計量によって判断される。本文領域抽出部２３は、抽出された本文をキーワード抽出部２５に送信する。
【００３１】
キーワード抽出部２５は、ブラウザ連携部２２の指示に従って動作を開始し、本文領域抽出部２３によって抽出された本文から１つ又は複数のキーワードを抽出し、抽出されたキーワードそれぞれにスコアを付して、キーワード記憶部２６に記憶させ、キーワード抽出終了をブラウザ連携部２２に通知する。即ち、まず、その本文を、辞書２４を参照して形態素解析する。得られた形態素の中で、次の条件の全部又は定められた一部をより多く満たす形態素をキーワードとし、満たす条件の数をスコアとする。
【００３２】
条件を例示すれば、第１に辞書２４に記憶されていること、第２に名詞であると記憶されていること、第３に固有名詞であると記憶されていること、第４に氏名であると記憶されていること、第５に本文の冒頭に現れていること、第６に本文に現れる回数が多いこと、第７に形態素の表記文字の種類（漢字、平仮名文字、カタカナ文字、又は、アルファベット文字のいずれか、又は、組合せ）の指定である。
【００３３】
第８に関連ページ検索部２０内に記憶された語である。この語は、使用者の嗜好に応じて使用者の入力操作に従って記憶される。また、辞書２４には、形態素に関連付けて意味属性が記憶されており、装置は使用者の嗜好を記憶する場合、条件の第９は、使用者の嗜好と、意味属性とが近い関係にあること、である。なお、辞書２４に意味属性が記憶されている場合、キーワード抽出部２５は、抽出されたキーワードに、そのキーワードに関連付けられた意味属性を付して、キーワード記憶部２６に記憶させる。
【００３４】
なお、使用者の嗜好とは、例えば、スポーツ、サッカー、音楽、ジャズ等であるが、使用者の属性、例えば、性別、年齢、住所等を含む。辞書２４に記憶される意味属性が、音楽、スポーツ等、嗜好に比較すれば広い概念である場合、例えば、サッカーはスポーツに含まれる旨のシソーラスが併せて辞書２４に記憶され、サッカーとスポーツは近い関係にあるとされる。使用者の嗜好は、関連ページ検索部２０内に記憶されても良く、制御部１１内に使用者に係る情報の一部として記憶されても良い。
【００３５】
なお、以上説明した条件と逆の条件を用いても良い。例えば、形態素と予想されるが辞書２４に記憶されていないこと、固有名詞でないこと、本文に現れる回数が少ないこと、使用者の嗜好と意味属性との関係が所定の範囲であることである。
【００３６】
また、スコアリングは、１通りと限るものではない。上述した条件の中で異なる一部の条件を用いても良い。また、条件に重みを付け、スコアは、満たす条件毎にその重みの和であるとしても良い。複数のスコアリングがされた場合、複数組のキーワードを、それぞれの組に、如何なる条件によってスコアが付されたかを添えてキーワード記憶部２６に記憶させる。
【００３７】
検索クエリ生成部２７は、関連ページ検索管理部２１の指示に従って動作を開始し、関連ページ検索管理部２１からウェブページ検索に係るカテゴリと、キーワードとを受信して、移動通信網送受信部１３を介してそのキーワードに係るウェブページをインターネットに接続された検索サイトに検索させる。
【００３８】
なお、キーワードが複数個受信された場合、それぞれのキーワード毎に別の検索をさせるが、複数個のキーワードをまとめて、まとめられたキーワード毎に検索させても良い。キーワードをまとめる場合、検索回数を、受信されたキーワードの個数未満、最低では１回とすることができ、検索時間の短縮が可能となる。また、検索サイトとは、キーワードを与えられることによってウェブページを検索するウェブサイトであって、検索されたウェブページがその検索サイトの装置内に記憶されているページに限る装置であっても良く、また、そのページに限らない装置であっても良い。
【００３９】
この検索の際、検索サイトは、以下のいずれか、又は、複数の組合せによって決定される。なお、まとめられたキーワード毎に検索させる場合、まとめられたキーワード毎に以下の基準を適用する。それらのキーワードのそれぞれによれば異なる決定がされる場合、より多くの個々のキーワードによる決定を、まとめられたキーワードに対する決定とする。
【００４０】
第１に、上記カテゴリ毎に関連付けられた検索サイトを用いる。この関連付けは、検索クエリ生成部２７内に記憶される。第２に、キーワードに意味属性が付された場合、その意味属性毎に関連付けられた検索サイトを用いる。この関連付けは、検索クエリ生成部２７内に記憶される。第３に、装置の使用者の嗜好に関連付けられた検索サイトを用いる。この関連付けは、検索クエリ生成部２７内に記憶される。第４に、過去に検索サイトによって検索されたウェブページのアクセスを装置の使用者が指示した回数を、検索サイト毎に関連ページ検索部２０内に記憶し、その回数が多い検索サイトを選択する。
【００４１】
検索結果解析部２８は、検索クエリ生成部２７の指示によって行われた検索の検索結果を受信する。この検索結果は、ウェブページを示し、タイトル、スニペット、及び、ＵＲＬからなり、１回の検索に対して１つ、又は、複数の検索結果が得られ、また、検索結果が得られないこともある。検索結果解析部２８は、１回の検索に対して得られた検索結果毎に解析し、その検索結果の中から、装置の使用者にとって有用である少なくとも１つを選択する。
【００４２】
この選択基準は、以下のいずれか１つ、又は、組合せである。第１に、検索サイトが検索結果に順位を付して送信した場合、第１順位の検索結果を選択する。検索サイトによる順位付けは、根拠があると考えられるからである。
【００４３】
第２に、検索の際に指示されたキーワードが抽出された本文、即ち、本文領域抽出部２３によって抽出された本文との類似度による。類似度は、例えば、上記タイトル及びスニペットに含まれる形態素（又は、文字列。）と、上記本文に含まれる形態素（又は、文字列。）とで共通であるものの割合である。形態素は、キーワード抽出部２５の動作説明で述べたように辞書２４を参照して解析される。そして、類似度が所定の範囲である検索結果を選択する。即ち、類似度が最大類似度閾値より大きい検索結果と、最小類似度閾値より小さい検索結果とを選択しない。
【００４４】
なぜなら、類似度が大きいことは、検索によって得られたウェブページの内容は、ブラウザ部１７が表示しているウェブページの内容と類似である、極端には全く同じ本文を含むので、有用ではないからである。類似度が小さいことは、検索によって得られたウェブページの内容は、ブラウザ部１７が表示しているウェブページの内容とかけ離れている可能性があるので、有用ではないからである。
【００４５】
第３に、装置の使用者の嗜好により合致する検索結果を選択する。即ち、上記タイトル及びスニペットに含まれる形態素に関連付けて辞書２４に記憶された意味属性と、使用者の嗜好との関係が近い検索結果を選択する。
【００４６】
検索結果解析部２８は、選択された検索結果のスニペットの文字数が所定のスニペット文字数閾値を超えている場合、その閾値以内に短縮する。この短縮に際し、検索の際に指示されたキーワードがタイトル及びスニペットの少なくとも一方には少なくとも１回は現れるようにする。また、そのキーワードの前後の所定の文字数の文字をなるべく削除しない。選択された検索結果の内容が容易に理解されるようにするためである。
【００４７】
検索結果解析部２８は、このように、全ての検索の検索結果毎に少なくとも１つの検索結果を選択し、必要な場合、スニペットを短縮した上で、選択された検索結果の全てを関連ページ検索管理部２１に送信する。又は、選択された検索結果が得られる毎に送信する。
【００４８】
以上説明したように、検索クエリ生成部２７は、キーワード抽出部２５によって抽出されたキーワード毎にウェブページ検索を行い、検索結果解析部２８は、その検索毎に少なくとも１つの検索結果を選択する。そこで、抽出されたキーワード毎に少なくとも１つの検索結果が得られ、抽出されたキーワードは、スニペットが短縮された場合であっても、少なくとも１つの選択された検索結果のタイトル又はスニペットに含まれる。いずれのキーワードも埋没することがなく、検索結果に現れる。
【００４９】
ＵＩ入出力部２９は、関連ページ検索管理部２１の指示に従い、表示部１５に表示をさせる。この表示がソフトキーである場合、表示させる位置の範囲の座標を指定して、その座標へのタッチがあった場合、通知を受ける旨をタッチパッド１６に対して要求する。この要求に従って、タッチパッド１６からタッチがあった旨の通知が受信された場合、ＵＩ入出力部２９は、タッチされたソフトキーを識別する情報、例えば、座標を関連ページ検索管理部２１に通知する。
【００５０】
なお、関連ページ検索管理部２１から異なるソフトキーの表示の指示があった場合、ＵＩ入出力部２９は、新たなソフトキーが表示させる位置の範囲を指定して、タッチパッド１６に対して上記要求をする。また、関連ページ検索管理部２１からソフトキーの表示の消去の指示があった場合、タッチパッド１６に対して、上記要求を取り消す。
【００５１】
次に、図３及び図４に示すフローチャートを参照して、関連ページ検索管理部２１による、ブラウザ部１７がアクセスしているウェブページに関連するウェブページの検索を制御する動作を説明する。この説明にあたり、表示部１５に表示される画面の遷移を併せて説明する。
【００５２】
関連ページ検索管理部２１は、ブラウザ部１７が動作を開始したことを契機として動作を開始したブラウザ連携部２２によって起動されて動作を開始する（ステップＳ２１ａ）。図５及び図６は、関連ページ検索管理部２１の動作による表示部１５に表示される画面の遷移を示し、図５（ａ）は、関連ページ検索管理部２１が動作を開始した際の画面を示す。
【００５３】
この画面は、ＵＲＬ欄１５ａと、ブラウザ部表示欄１５ｂとからなる。この画面は、ブラウザ部１７が起動された直後の画面であり、ＵＲＬ欄１５ａには、ブラウザ部１７が動作開始の際にアクセスするウェブページのＵＲＬが表示され、ブラウザ部表示欄１５ｂには、何も表示されない。
【００５４】
なお、ＵＲＬ欄１５ａと、ブラウザ部表示欄１５ｂとは、ブラウザ部１７が動作中は、必ずブラウザ部１７によって表示される結果、関連ページ検索管理部２１が動作中には必ず表示される。なお、これらの他に、タイトルバー及びメニューバーがブラウザ部１７によって表示され、着呼キー、終話キーを含む基本コマンド用ソフトキー及びピクトが制御部１１によって表示されるが、これらは、関連ページ検索管理部２１の動作に依存して変化することがないので、図示を省略する。
【００５５】
関連ページ検索管理部２１は、ブラウザ連携部２２からブラウザ部１７内でウェブページのダウンロード開始のイベントが発生したとの通知が受信されたか否かを判断し（ステップＳ２１ｂ）、受信されない場合、このステップの動作を続ける。一方、受信された場合、ＵＩ入出力部２９に指示して、図５（ｂ）に示すように、機能未稼働アイコン１５ｃをブラウザ部表示欄１５ｂの一部に表示させる（ステップＳ２１ｃ）。この表示によって、ダウンロードが開始されたことが報知される。
【００５６】
このステップでは、ブラウザ部１７はウェブページのダウンロードを終了していないのであり、関連ページ検索管理部２１は、ブラウザ部１７がアクセスしているウェブページに関連するウェブページを検索することができない。そこで、機能未稼働アイコン１５ｃは、関連ページ検索管理部２１が動作中であることを示すものの、装置の使用者の入力操作に基づく処理ができないことを示すべく、第１の表示形態で表示され、ソフトキーではない。ここで、第１の表示形態とは、地味な表示、例えば、灰色での表示である。
【００５７】
関連ページ検索管理部２１は、ブラウザ連携部２２からブラウザ部１７内でウェブページのダウンロード終了のイベントが発生し、かつ、キーワード抽出部２５によるキーワード抽出が終了したとの通知が受信されたか否かを判断し（ステップＳ２１ｄ）、受信されない場合、このステップの動作を続ける。一方、受信された場合、図５（ｃ）に示すように、ＵＩ入出力部２９に指示して、機能未稼働アイコン１５ｃに代えて、機能稼働中アイコン１５ｄをブラウザ部表示欄１５ｂの一部に表示させる（ステップＳ２１ｅ）。この表示によって、ダウンロードが終了し、機能稼働中アイコン１５ｄへのタッチによって、関連ページ検索管理部２１は、その機能の動作を行う状態にあることが報知される。
【００５８】
なお、既に説明した通り、本文領域抽出部２３及びキーワード抽出部２５は、ブラウザ部１７内でウェブページのダウンロード終了のイベントが発生したことを契機とし、ブラウザ連携部２２の指示に基づいて動作する。ダウンロード終了に伴って、キーワード抽出が可能となるためであり、関連ページ検索管理部２１の制御が不要であるからである。しかし、これに限るものではなく、ブラウザ連携部２２はダウンロード終了のイベントが発生したことを関連ページ検索管理部２１に通知し、関連ページ検索管理部２１が本文領域抽出部２３及びキーワード抽出部２５を動作させても良い。
【００５９】
図５（ｃ）に示す画面では、ブラウザ部表示欄１５ｂには、ブラウザ部１７によって、スクロールバーを含む、ウェブページの内容が表示されている。また、機能稼働中アイコン１５ｄは、タッチを促すべく、第１の表示形態とは異なる第２の表示形態で表示されたソフトキーである。ここで、第２の表示形態とは、第１の表示形態に比較すると目立ち、かつ、ブラウザ部１７による表示の閲覧の際に眼ざわりにならない表示、例えば、紫色での表示である。第１の表示形態と、第２の表示形態とは、装置の使用者によって明瞭に識別可能な表示形態である。
【００６０】
更に、機能稼働中アイコン１５ｄはソフトキーであることをＵＩ入出力部２９に通知したため、機能稼働中アイコン１５ｄへのタッチは、ＵＩ入出力部２９を介して関連ページ検索管理部２１に通知され、制御部１１を介してブラウザ部１７へ通知されることはない。逆に、機能稼働中アイコン１５ｄ以外のブラウザ部表示欄１５ｂへのタッチは、関連ページ検索管理部２１に通知されず、ブラウザ部１７へ通知されて、ブラウザ部表示欄１５ｂに表示されたウェブページの内容のスクロール等が行われる。
【００６１】
このステップＳ２１ｅまでの動作は、タッチパッド１６及びキー入力部１６ａからの入力操作なしで行われ、関連ページ検索部２０は、ブラウザ部１７の一部であるとの印象を装置の使用者に与える。そこで、使用者は、気軽にウェブページの検索を試みることができる。また、ここまでの動作は、移動通信網通信部１２を介した通信を伴わない。そこで、その通信による電力の消費はない。
【００６２】
関連ページ検索管理部２１は、機能稼働中アイコン１５ｄへのタッチがされたか否かをＵＩ入出力部２９からの通知によって判断し（ステップＳ２１ｆ）、タッチされない場合、このステップの動作を続ける。タッチされた場合、ＵＩ入出力部２９に指示して、図５（ｄ）に示すように、ソフトキーである複数のカテゴリを含む操作メニュー１５ｅを、機能稼働中アイコン１５ｄと行又は列をなしてブラウザ部表示欄１５ｂの一部に表示させる（ステップＳ２１ｇ）。この表示によって、操作メニュー１５ｅ中のいずれかのカテゴリへのタッチによって、関連ページ検索管理部２１は、そのカテゴリに応じたウェブページの検索をさせる旨が報知される。
【００６３】
ここで、ソフトキーである機能稼働中アイコン１５ｄの画像は変化しないように図示したが、動作ステップに応じて画像を変化させても良い。なぜなら、ステップＳ２１ｅの動作によって図５（ｃ）に示す表示がされた場合、機能稼働中アイコン１５ｄは、関連ページ検索管理部２１が検索サイトにウェブページを検索させる動作を開始することができることを示す。しかし、ステップＳ２１ｇを含む、ステップＳ２１ｅ以外の動作ステップでは、機能稼働中アイコン１５ｄへのタッチによって、関連ページ検索管理部２１の動作を前の段階に戻すことがあり、例えば、「×」、「戻る」等の表示が使用者の直感的な理解の助けになるからである。
【００６４】
図５（ｄ）に例示した操作メニュー１５ｅには、「辞書」、「動画」、「速報」、「話題」、及び、「評判」の５つのカテゴリが含まれている。それぞれにタッチされると、検索クエリ生成部２７によって、百科事典、映画、ニュース、ブログ、そして、口コミ等の掲示板のウェブページの検索に優れた検索サイトを用いた検索が行われる。
【００６５】
カテゴリには、何ら制限はなく、「辞書」、「地図」、「天気」のように、更に詳細な情報を得るためのもの、「動画」、「画像」、「ゲーム」のように、楽しむためのもの、「食べる」、「旅行」、「買う」のように、使用者の行動の参考情報を得るためのもの、「掲示板」等の情報のアップロードを行うためのもの、「レンタル」、「働く」、「バイト」等、事業者の検索を行うためのもの等がある。なお、カテゴリの数が多い場合、操作メニュー１５ｅを複数の階層とし、第１の階層では、情報を得るため、楽しむため、行動の参考情報を得るため、等の目的を選択し、第２の階層では、選択された目的に属するカテゴリを選択するようにしても良い。
【００６６】
ここで、「地図」にタッチされると、地図のウェブページの検索に優れた検索サイトを用いた検索が行われる。「天気」にタッチされると、天気予報のウェブページの検索に優れた検索サイトを用いた検索が行われる。
【００６７】
更に、「食べる」にタッチされると、例えば、レストランのウェブページの検索に優れた検索サイトや、レシピのウェブページの検索に優れた検索サイトを用いた検索が行われる。また、「旅行」にタッチされると、例えば、地図のウェブページの検索に優れた検索サイトや、天気予報のウェブページの検索に優れた検索サイトを用いた検索が行われる。更に、「買う」にタッチされると、例えば、販売店のウェブページの検索に優れた検索サイトや、インターネットオークションサイトのウェブページの検索に優れた検索サイトを用いた検索が行われる。
【００６８】
また、操作メニュー１５ｅに含まれるカテゴリは、キーワード抽出部２５によって抽出されたキーワード（付された意味属性を含む。）や、装置の使用者の嗜好や、キーワードのスコアリングに用いられた条件、又は、その条件への重み付けに応じて選択されても良い。例えば、料理名が抽出された場合、「食べる」なるカテゴリが選択される。また、抽出されたキーワードによらず、嗜好が食べ歩きである場合、「食べる」なるカテゴリが選択される。
【００６９】
更に、固有名詞であることを条件に、又は、その条件に重み付けされた場合、「速報」、「話題」、及び、「評判」等のカテゴリの選択が好ましく、カテゴリ「辞書」の選択は好ましくない。なぜなら、固有名詞、特に、人名は、百科事典に掲載されていないことが多いからである。また、形態素と予想されるが辞書２４に記憶されていないことを条件に、又は、その条件に重み付けされた場合、カテゴリ「辞書」の選択は好ましい。なぜなら、装置の使用者にとって、百科事典に記載されたそのキーワードの詳細な説明が有用と考えられるからである。
【００７０】
関連ページ検索管理部２１は、タッチパッド１６へのタッチがされたか否かをＵＩ入出力部２９からの通知によって判断し（ステップＳ２１ｈ）、タッチされない場合、関連ページ検索管理部２１は、このステップの動作を続ける。一方、操作メニュー１５ｅ中のいずれかのカテゴリへのタッチがされた場合、ＵＩ入出力部２９に指示して、図６（ａ）に示すように、操作メニュー１５ｅに代えて、検索中表示１５ｆをブラウザ部表示欄１５ｂの一部に表示させると共に、検索クエリ生成部２７と、検索結果解析部２８とを動作させる（ステップＳ２１ｉ）。この検索中表示１５ｆの表示はソフトキーではなく、この表示によって、ウェブページの検索中であることが表示部１５に表示される。なお、検索中表示１５ｆには、タッチされたカテゴリの表示が含まれるように図示したが、含まれなくとも良い。
【００７１】
この検索中表示１５ｆが表示されている際に機能稼働中アイコン１５ｄへのタッチがされると、関連ページ検索管理部２１は、検索クエリ生成部２７及び／又は検索結果解析部２８の動作を終了させることによって検索サイトにウェブページを検索させる動作を中断し、ＵＩ入出力部２９に指示して検索中表示１５ｆを消去させ、ステップＳ２１ｅに移り、表示部１５には、図５（ｃ）に示す表示がされる（図示せず）。又は、ステップＳ２１ｇに移り、表示部１５には、図５（ｄ）に示す表示がされる（図示せず）。このタッチによって、装置の使用者は、検索サイトにウェブページを検索させる動作の中断又はやり直しを指示することができる。
【００７２】
また、検索クエリ生成部２７を動作させるに際し、関連ページ検索管理部２１は、ステップＳ２１ｄで抽出が終了されたと判断されたキーワードと、ステップＳ２１ｆでタッチによって選択されたと判断されたカテゴリとを検索クエリ生成部２７へ送信する。なお、キーワードは、スコアを付されてキーワード記憶部２６に記憶されており、スコアが上位の所定個のキーワードを選択して送信する。
【００７３】
なお、キーワードに意味属性が付されている場合、関連ページ検索管理部２１は、スコアが上位であることに加えて、又は、代えて、選択されたカテゴリに依存して、そのカテゴリに近いと判断される意味属性が付されたキーワードを選択しても良い。また、複数のスコアリングが行われた結果、複数組のキーワードが、如何なる条件を用いて、又は、条件に付された重みを添えて記憶されている場合、関連ページ検索管理部２１は、選択されたカテゴリに依存して、キーワードの組を選択し、その組に含まれるキーワードの中から送信するキーワードを選択する。
【００７４】
この選択されたカテゴリと、意味属性とを参照したキーワードの選択の一例は、カテゴリ「買う」が選択された場合、ブランド品名であるキーワードを選択することである。カテゴリ「食べる」が選択された場合、料理名であるキーワードを選択する。カテゴリ「地図」が選択された場合、地名であるキーワードを選択することである。
【００７５】
また、選択されたカテゴリを参照したキーワードの組の選択の一例は、カテゴリ「買う」が選択された場合、固有名詞であることを用いて、又は、重みを付けて抽出されたキーワードの組を選択することである。カテゴリ「地図」が選択された場合、固有名詞であること、特に、地名であることを用いて、又は、重み付けて抽出されたキーワードの組を選択することである。
【００７６】
図４を参照した関連ページ検索管理部２１によるウェブページの検索を制御する動作の説明に戻る。関連ページ検索管理部２１は、検索結果解析部２８から送信された検索結果が受信されたか否かを判断し（ステップＳ２１ｊ）。受信されない場合、このステップの動作を続ける。１件以上の検索結果が受信された場合、ＵＩ入出力部２９に指示して、機能稼働中アイコン１５ｄ及び検索中表示１５ｆを消去させ、図６（ｂ）に示すように、ソフトキーである戻り指示表示１５ｇと、ソフトキーである検索結果表示１５ｈとをブラウザ部表示欄１５ｂに表示させる（ステップＳ２１ｋ）。表示される検索結果表示１５ｈの数は、受信された検索結果の数である。なお、検索結果表示１５ｈは、検索結果に含まれるタイトル、スニペット、及び、ＵＲＬの表示を含む。
【００７７】
なお、例えば、検索されたウェブページが画像を含む場合、検索結果は、サムネイル画像、又は、サムネイル画像が記憶されたＵＲＬを含む場合がある。この場合、関連ページ検索管理部２１は、検索結果解析部２８を介して受信されたサムネイル画像、又は、検索結果解析部２８を介して受信されたＵＲＬへアクセスして受信されたサムネイル画像を検索結果表示１５ｈに含ませて、図７に示すように、表示部１５に表示させる。この図７の表示は、図６（ｂ）の表示にサムネイル画像を加えたものである。
【００７８】
なお、サムネイル画像は、ブラウザ部表示欄１５ｂに重ねて表示される。そのため、サムネイル画像がブラウザ部表示欄１５ｂの表示に起因して乱れて表示されることのない処理が必要となることがある。例えば、サムネイル画像に含まれる特定の色、例えば、Ｒ，Ｇ、及び、Ｂの３原色によって０、０、０と表された色が制御部１１の制御によってブラウザ部表示欄１５ｂの表示の透過と扱われる場合、関連ページ検索管理部２１は、その色をＲ，Ｇ、及び、Ｂの３原色が４、４、４などと表される、類似の色に置き換える。
【００７９】
関連ページ検索管理部２１は、タッチパッド１６へのタッチがされたか否かをＵＩ入出力部２９からの通知によって判断し（ステップＳ２１ｍ）、タッチされない場合、このステップの動作を続ける。一方、いずれかの検索結果表示１５ｈにタッチされた場合、タッチされた検索結果表示１５ｈに含まれるＵＲＬをブラウザ連携部２２を介してブラウザ部１７へ通知してアクセスさせる（ステップＳ２１ｎ）。
【００８０】
そして、関連ページ検索管理部２１は、ＵＩ入出力部２９に指示して、戻り指示表示１５ｇ及び検索結果表示１５ｈを消去させ（ステップＳ２１ｏ）、ステップＳ２１ｂの動作に移る。ここで、ブラウザ部１７は、新たにウェブページへのアクセスが指示されたことによって、ブラウザ部表示欄１５ｂに表示されていたウェブページの内容を消去する。
【００８１】
そこで、表示部１５には、ＵＲＬ欄１５ａに表示される内容は異なるものの、図５（ａ）に示す表示がされ、この表示は、ブラウザ部１７の動作開始に伴って、ステップＳ２１ａの関連ページ検索管理部２１が動作を開始した際の表示と同じである。即ち、以後、ステップＳ２１ｂ以降の動作に伴って、既に図５及び図６を参照して説明した表示の遷移が発生する。
【００８２】
例えば、ステップＳ２１ｎで通知されたＵＲＬで識別されるウェブページのダウンロードが開始されたとステップＳ２１ｂで判断された場合、図５（ｂ）に示す機能未稼働アイコン１５ｃの表示がされる。そのダウンロードが終了し、そのウェブページからキーワードの抽出が終了したとステップＳ２１ｄで判断されると、そのウェブページの内容、及び、機能稼働中アイコン１５ｄが、図６（ｃ）に示すように表示される。なお、この表示は、ＵＲＬ欄１５ａに表示される内容及びブラウザ部表示欄１５ｂに表示される内容は異なるものの、図５（ｃ）に示す表示と同じであり、関連ページ検索管理部２１が同じ動作ステップにあることと対応している。
【００８３】
ステップＳ２１ｍで、戻り指示表示１５ｇにタッチされた場合、関連ページ検索管理部２１は、ＵＩ入出力部２９に指示して、戻り指示表示１５ｇ及び検索結果表示１５ｈを消去させ（ステップＳ２１ｐ）、ステップＳ２１ｅに移る。この際、ステップＳ２１ｐの動作の結果、表示部１５には、図５（ｃ）に示す表示がされる。又は、ステップＳ２１ｇに移り、表示部１５には、図５（ｄ）に示す表示がされる（図示せず）。
【００８４】
ステップＳ２１ｊで、検索結果はない、即ち、０件である旨が受信された場合、関連ページ検索管理部２１は、ＵＩ入出力部２９に指示して、検索中表示１５ｆを消去させ、図６（ｄ）に示すように、所定の検索結果なし報知時間に渡って検索結果なし表示１５ｉを表示させて、検索結果がないことを報知して（ステップＳ２１ｑ）、ステップＳ２１ｅに移る。この際、表示部１５には、図５（ｃ）に示す表示がされる。又は、ステップＳ２１ｇに移り、表示部１５には、図５（ｄ）に示す表示がされる（図示せず）。なお、検索結果なし表示１５ｉは、ソフトキーではない。
【００８５】
この検索結果なし表示１５ｉが表示されている際に機能稼働中アイコン１５ｄへのタッチがされると、関連ページ検索管理部２１は、ＵＩ入出力部２９に指示して検索結果なし表示１５ｉを消去させ、ステップＳ２１ｅに移り、表示部１５には、図５（ｃ）に示す表示がされる（図示せず）。又は、ステップＳ２１ｇに移り、表示部１５には、図５（ｄ）に示す表示がされる（図示せず）。このタッチによって、装置の使用者は、検索サイトにウェブページを検索させる動作のやり直しを指示することができる。
【００８６】
ステップＳ２１ｈで機能稼働中アイコン１５ｄへのタッチがされた場合、関連ページ検索管理部２１は、ＵＩ入出力部２９に指示して、操作メニュー１５ｅを消去させ（ステップＳ２１ｒ）、ステップＳ２１ｅに移る。この際、ステップＳ２１ｒの動作の結果、表示部１５には、図５（ｃ）に示す表示がされる。
【００８７】
このように、関連ページ検索部２０は、キーワード抽出部２５によるキーワード抽出のみならず、関連ページ検索管理部２１によるステップＳ２１ｇで表示されるカテゴリ選択、ステップＳ２１ｉで検索クエリ生成部２７へ送信するキーワードの選択、検索クエリ生成部２７による検索サイトの選択、更に、検索結果解析部２８による検索結果の選択と、多くの動作で、例えば、装置の使用者の嗜好に従った動作を行わせることができる。この結果、ブラウザ部１７がアクセスしているウェブページは同じであったとしても、関連ページ検索部２０によって検索されるウェブページは同じとは限らず、装置の使用者にとって有用なウェブページを検索させることができる。
【００８８】
以上の説明は、関連ページ検索管理部２１が装置の使用者の入力操作なしに、及び、その操作に従って動作している場合の制御動作であったが、この他に、ブラウザ連携部２２と、関連ページ検索管理部２１とは、関連ページ検索管理部２１が上記説明したいずれの動作ステップにあるかに依らず、次のような制御動作を行う。
【００８９】
ブラウザ部１７に対し、動作終了の制御信号が送信された場合、ブラウザ連携部２２は、その信号が受信された旨を関連ページ検索管理部２１へ送信し、所定の非表示待ち時間の経過後、その制御信号をブラウザ部１７へ送信する。これらの送信の結果、関連ページ検索管理部２１は、ＵＩ入出力部２９に指示して関連ページ検索管理部２１に係る全ての表示を消去させ、ブラウザ連携部２２及び関連ページ検索管理部２１を含む、関連ページ検索部２０の全ての動作を終了させる。
【００９０】
この動作終了の際、制御部１１からブラウザ部１７へのメッセージは、ブラウザ連携部２２が受信することなく、直接ブラウザ部１７が受信する設定に戻させる。また、ブラウザ部１７は、ＵＲＬ欄１５ａの表示及びブラウザ部表示欄１５ｂの表示を消去させて動作を終了する。
【００９１】
ここで、ブラウザ連携部２２は、上記信号を先ず関連ページ検索管理部２１へ送信し、所定の非表示待ち時間の経過後、ブラウザ部１７へ送信した理由は、以下の通りである。即ち、関連ページ検索部２０は、タッチパッド１６からの入力操作なしに動作を開始し、動作開始の後、ブラウザ部１７の一部であるかのように動作した。そこで、関連ページ検索部２０に係る表示がされたままブラウザ部１７に係る表示が消去されると、装置の使用者が違和感を覚える可能性があるからである。
【００９２】
ブラウザ部１７に対し、表示部１５への非表示の制御信号が送信された場合、ブラウザ連携部２２は、その信号が受信された旨を関連ページ検索管理部２１へ送信し、所定の非表示待ち時間の経過後、その制御信号をブラウザ部１７へ送信する。この非表示の制御信号は、例えば、移動通信網送受信部１３を介して通話着信制御信号を受信した制御部１１が、所定の着信画像を表示部１５に表示させるために送信される。
【００９３】
これらの送信の結果、関連ページ検索管理部２１は、ＵＩ入出力部２９に指示して関連ページ検索管理部２１に係る全ての表示を消去させ、ブラウザ部１７は、ＵＲＬ欄１５ａの表示及びブラウザ部表示欄１５ｂの表示を消去させる。なお、消去された表示がソフトキーである場合、その表示がされた部分へのタッチは入力操作とは扱われない。ここで、ブラウザ連携部２２は、上記信号を先ず関連ページ検索管理部２１へ送信し、所定の非表示待ち時間の経過後、ブラウザ部１７へ送信した理由は、上述した理由に準じる。
【００９４】
ブラウザ部１７に対し、表示部１５への表示の制御信号が送信された場合、ブラウザ連携部２２は、その信号が受信された旨をブラウザ部１７へ送信し、所定の表示待ち時間の経過後、その制御信号を関連ページ検索管理部２１へ送信する。この表示の制御信号は、例えば、移動通信網送受信部１３を介した通話が終了し、制御部１１が、表示部１５に表示されていた所定の着信画像を消去する際に送信される。
【００９５】
これらの送信の結果、ブラウザ部１７は、ＵＲＬ欄１５ａの表示及びブラウザ部表示欄１５ｂの表示を復旧させ、関連ページ検索管理部２１は、ＵＩ入出力部２９に指示して関連ページ検索管理部２１に係る全ての表示を復旧させる。ここで、ブラウザ連携部２２は、上記信号を先ずブラウザ部１７へ送信し、所定の表示待ち時間の経過後、関連ページ検索管理部２１へ送信した理由は、上述した理由に準じ、以下の通りである。即ち、関連ページ検索部２０は、ブラウザ部１７の一部であるかのように動作した。そこで、ブラウザ部１７に係る表示がされる前に関連ページ検索部２０に係る表示がされると、装置の使用者が違和感を覚える可能性があるからである。
【００９６】
ブラウザ部１７に対し、表示部１５への表示のスクロールに関する制御信号が送信された場合、ブラウザ連携部２２は、その制御信号をブラウザ部１７へ送信すると共に、関連ページ検索管理部２１へ送信する。なお、スクロールを示す制御信号とは、スクロールバーを含む、ブラウザ部表示欄１５ｂへのタッチ、又は、タッチした位置の移動（タッチパッド１６に指等を触れたまま移動することに対応する。）に起因して送信される。
【００９７】
なお、ブラウザ部表示欄１５ｂであっても、関連ページ検索部２０に係る表示がされた部分へのタッチは、ＵＩ入出力部２９へ通知され、制御部１１を介してブラウザ部１７へ通知されないことは前述の通りである。
【００９８】
このスクロールに関する制御信号を受信した関連ページ検索管理部２１は、ブラウザ部１７に対してスクロールを開始する制御信号を送信してからスクロールを終了する制御信号を送信するまでの間、ＵＩ入出力部２９に指示して、関連ページ検索管理部２１に係る全ての表示の透明度を上げさせる。透明にさせても良い。この結果、装置の使用者は、ブラウザ部表示欄１５ｂの表示の全てを視認することができ、適切なスクロールが容易である。
【００９９】
ブラウザ部１７内に対し、表示部１５へソフトキーボードの表示を示す制御信号が送信され、かつ、その表示位置が関連ページ検索部２０に係る表示位置と重なる場合、ブラウザ連携部２２は、その制御信号をブラウザ部１７へ送信すると共に、関連ページ検索管理部２１へ送信する。この制御信号を受信した関連ページ検索管理部２１は、ＵＩ入出力部２９に指示して関連ページ検索管理部２１に係る全ての表示の、少なくとも、ソフトキーボードの表示と重なる部分を消去させることによって、その表示へのタッチを関連ページ検索管理部２１に通知させない。なお、このソフトキーボードは、例えば、ＵＲＬの入力に用いられる。
【０１００】
ブラウザ部１７に対し、表示部１５に表示されたソフトキーボードの消去を示す制御信号が送信された場合、ブラウザ連携部２２は、その制御信号をブラウザ部１７へ送信すると共に、関連ページ検索管理部２１へ送信する。この制御信号を受信した関連ページ検索管理部２１は、ＵＩ入出力部２９に指示して関連ページ検索管理部２１に係る全ての表示を復旧させる。なお、ソフトキーボードの表示及び消去がブラウザ部１７への制御信号によらず、ブラウザ部１７内のイベントに従って行われる場合も上記に準じる。
【０１０１】
以上の説明で、関連ページ検索部２０は、タッチパッド１６からの入力操作なしに動作を開始し、動作開始の後、ブラウザ部１７の一部であるかのように動作したが、これに限るものではない。ブラウザ部１７が動作中は、ブラウザ連携部２２は動作するものの、タッチパッド１６の所定の関連ページ検索開始操作に従って関連ページ検索管理部２１は動作を開始し、及び／又は、タッチパッド１６の所定の関連ページ検索終了操作に従ってよって関連ページ検索管理部２１は、動作を終了しても良い。これらの操作は、ＵＩ入出力部２９によって受信される。
【０１０２】
以上の説明は、表示部１５と、タッチパッド１６とはタッチパネルを構成するとして行ったが、これに限るものではない。装置はタッチパッド１６を有さず、タッチパッド１６からの入力操作に代えて、キー入力部１６ａからの入力操作に従って、装置の各部が動作しても良い。
【０１０３】
なお、この場合、キー入力部１６ａは、各機能での確定や選択を指示するために用いられる決定キーと、決定キーに隣接して決定キーを取り囲んで設置され、決定キーの上、下、左、及び、右方向に位置する４つのキー、即ち、上向きキー、下向きキー、左向きキー、及び、右向きキーからなり、表示部１５上に指定される位置の移動指示等に用いられる十字選択キーと、装置の電源の投入及び切断等の指示入力に用いられる電源操作キー等を含む機能キーと、電話番号を含む数字の入力等に用いられるダイヤルキーとを有する。
【０１０４】
以上の説明は、本発明を、通話機能を有する移動通信装置に適用した形態を例にとって行ったが、これに限るものではない。本発明は、パソコン等のインターネットに接続される全ての装置に適用することが当然に可能である。本発明は以上の構成に限定されるものではなく、種々の変形が可能である。
【符号の説明】
【０１０５】
１１  制御部
１２  移動通信網通信部
１３  移動通信網送受信部
１４  通話部
１５  表示部
１５ａ  ＵＲＬ欄
１５ｂ  ブラウザ部表示欄
１５ｃ  機能未稼働アイコン
１５ｄ  機能稼働中アイコン
１５ｅ  操作メニュー
１５ｆ  検索中表示
１５ｇ  戻り指示表示
１５ｈ  検索結果
１５ｉ  検索結果なし表示
１６  タッチパッド
１７  ブラウザ部
２０  関連ページ検索部
２１  関連ページ検索管理部
２２  ブラウザ連携部
２３  本文領域抽出部
２５  キーワード抽出部
２６  キーワード記憶部
２７  検索クエリ生成部
２８  検索結果解析部
２９  ＵＩ入出力部
【図１】
2011076565.tif 000003
【図２】
2011076565.tif 000004
【図３】
2011076565.tif 000005
【図４】
2011076565.tif 000006
【図５】
2011076565.tif 000007
【図６】
2011076565.tif 000008
【図７】
2011076565.tif 000009